【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
記録媒体の記録領域の全幅に亘って複数の記録素子が配列されたインクジェット記録ヘッドと、当該インクジェット記録ヘッドに対向する位置へ前記記録媒体を搬送するための搬送部と、前記インクジェット記録ヘッドに対向する位置に搬送された記録媒体に対し印刷データに基づく画像の印刷を行う印刷制御部とを有するインクジェット記録装置であって、
前記印刷制御部により画像が印刷された記録媒体を前記インクジェット記録ヘッドに対向する位置へ再度搬送するための循環経路を備え、
前記印刷制御部は、前記記録媒体の同一面に印刷すべき画像に対応した印刷データを複数に分割し、当該分割された印刷データを前記記録媒体上の同一面に印刷するために前記循環経路を利用して前記インクジェット記録ヘッドに対向する位置へ前記記録媒体を複数回搬送するように前記搬送部を制御することを特徴とするインクジェット記録装置。
【請求項２】
記録媒体の記録領域の全幅に亘って複数の記録素子が配列されたインクジェット記録ヘッドと、
前記インクジェット記録ヘッドに対向する位置へ前記記録媒体を搬送するための搬送部と、
前記インクジェット記録ヘッドに対向する位置に搬送された記録媒体に対し印刷データに基づく画像の印刷を行う印刷制御部と、
前記印刷制御部により画像が印刷された記録媒体を前記インクジェット記録ヘッドに対向する位置へ再度搬送するための循環経路とを備え、
前記印刷制御部は、前記インクジェット記録ヘッドに対向する位置へ前記記録媒体を１回搬送することにより前記記録媒体の同一面に対する印刷を行う第１モードと、前記循環経路を介して前記インクジェット記録ヘッドに対向する位置へ前記記録媒体を複数回搬送することにより前記記録媒体の同一面に対する印刷を行う第２モードとを実行可能であることを特徴とするインクジェット記録装置。
【請求項３】
前記印刷制御部は、前記印刷データを文字部データと画像部データに分け、該分けられた画像部データを複数に分割し、当該複数の画像部データを前記第２モードにより前記記録媒体上の同一面に印刷することを特徴とする請求項２に記載のインクジェット記録装置。
【請求項４】
前記印刷データのドット数をカウントするカウント手段をさらに備え、
前記印刷制御部は、前記カウント手段によりカウントされたドット数が所定値以上である場合に前記印刷データを複数に分割することを特徴とする請求項１ないし３のいずれかに記載のインクジェット記録装置。
【請求項５】
前記インクジェット記録ヘッドの温度を検出するヘッド温度検出部をさらに備え、
前記印刷制御部は、前記ヘッド温度検出部により検出された温度に応じて前記印刷データを複数に分割することを特徴とする請求項１ないし３のいずれかに記載のインクジェット記録装置。
【請求項６】
前記インクジェット記録ヘッドに対向する位置へ搬送される記録媒体の位置を検出する記録媒体位置検出部と、
前記記録媒体位置検出部により検出された位置に基づいて前記記録媒体の位置ズレを補正する手段と、
をさらに備えることを特徴とする請求項１ないし５のいずれかに記載のインクジェット記録装置。
【請求項７】
前記記録媒体位置検出部は、前記循環経路を介して再度搬送された記録媒体の位置を検出することを特徴とする請求項６に記載のインクジェット記録装置。
【請求項８】
前記循環経路は、前記記録媒体を反転させるための反転機構を備え、
前記印刷制御部は、前記インクジェット記録ヘッドに対向する位置へ前記記録媒体を２回搬送することにより前記記録媒体の両面に対する印刷を行う第３モードを実行可能であり、
前記印刷制御部が前記第３モードを実行する場合、前記記録媒体の第１面への印刷終了後、その記録媒体を前記反転機構により反転させ、反転させた記録媒体を前記循環経路を介して前記インクジェット記録ヘッドに対向する位置へ再度搬送し、前記記録媒体の第２面への記録を行うことを特徴とする請求項２に記載のインクジェット記録装置。
【請求項９】
記録媒体の記録領域の全幅に亘って複数の記録素子が配列されたインクジェット記録ヘッドと、
前記インクジェット記録ヘッドに対向する位置へ前記記録媒体を搬送するための搬送手段と、
前記インクジェット記録ヘッドに対向する位置に搬送された記録媒体に対し印刷データに基づく画像の印刷を行う印刷制御部とを備え、
前記インクジェット記録ヘッドに対向する位置へ前記記録媒体を２回搬送することにより前記記録媒体の同一面に対する印刷を行う場合、前記搬送手段は前記記録媒体の１回目の搬送と２回目の搬送の方向を逆転させることを特徴とするインクジェット記録装置。
【請求項１０】
記録媒体の記録領域の全幅に亘って複数の記録素子が配列されたインクジェット記録ヘッドを用いて印刷を行うインクジェット記録方法であって、
前記記録媒体の同一面に印刷すべき画像に対応した印刷データを、少なくとも第１印刷データおよび第２印刷データに分割する分割工程と、
前記インクジェット記録ヘッドに対向する位置へ前記記録媒体を搬送する第１搬送工程と、
前記第１搬送工程において搬送された記録媒体に対し、前記第１印刷データに基づき第１の画像を印刷する第１印刷工程と、
前記第１印刷工程において第１の画像が印刷された記録媒体を前記インクジェット記録ヘッドに対向する位置へ循環経路を用いて再度搬送する第２搬送工程と、
前記第２搬送工程において搬送された記録媒体に対し、前記第２印刷データに基づき第２の画像を印刷する第２印刷工程と、
を備えることを特徴とするインクジェット記録方法。
【請求項１１】
記録媒体の記録領域の全幅に亘って複数の記録素子が配列されたインクジェット記録ヘッドと、前記インクジェット記録ヘッドに対向する位置へ前記記録媒体を搬送するための搬送部と、前記インクジェット記録ヘッドに対向する位置に搬送された記録媒体に対し印刷データに基づく画像の印刷を行う印刷制御部と、前記印刷制御部により画像が印刷された記録媒体を前記インクジェット記録ヘッドに対向する位置へ再度搬送するための循環経路とを有するインクジェット記録装置におけるインクジェット記録方法であって、
前記インクジェット記録ヘッドに対向する位置へ前記記録媒体を１回搬送することにより前記記録媒体の同一面に対する印刷を行う第１モードと、前記循環経路を用いて前記インクジェット記録ヘッドに対向する位置へ前記記録媒体を複数回搬送することにより前記記録媒体の同一面に対する印刷を行う第２モードを含む複数のモードのうち、実行すべき１つのモードを選択する選択工程と、
前記選択工程において選択したモードに従って、前記記録媒体に対する印刷を行う印刷工程と、
を備えることを特徴とするインクジェット記録方法。
【手続補正２】
【補正対象書類名】明細書
【補正対象項目名】００１７
【補正方法】変更
【補正の内容】
【００１７】
このような目的を達成するため、本出願に係る第１の発明は、記録媒体の記録領域の全幅に亘って複数の記録素子が配列されたインクジェット記録ヘッドと、当該インクジェット記録ヘッドに対向する位置へ前記記録媒体を搬送するための搬送部と、前記インクジェット記録ヘッドに対向する位置に搬送された記録媒体に対し印刷データに基づく画像の印刷を行う印刷制御部とを有するインクジェット記録装置であって、前記印刷制御部により画像が印刷された記録媒体を前記インクジェット記録ヘッドに対向する位置へ再度搬送するための循環経路を備え、前記印刷制御部は、前記記録媒体の同一面に印刷すべき画像に対応した印刷データを複数に分割し、当該分割された印刷データを前記記録媒体上の同一面に印刷するために前記循環経路を利用して前記インクジェット記録ヘッドに対向する位置へ前記記録媒体を複数回搬送するように前記搬送部を制御することを特徴とする。
【手続補正３】
【補正対象書類名】明細書
【補正対象項目名】００１８
【補正方法】変更
【補正の内容】
【００１８】
また、請求項２に記載の発明は、インクジェット記録装置であって、記録媒体の記録領域の全幅に亘って複数の記録素子が配列されたインクジェット記録ヘッドと、前記インクジェット記録ヘッドに対向する位置へ前記記録媒体を搬送するための搬送部と、
前記インクジェット記録ヘッドに対向する位置に搬送された記録媒体に対し印刷データに基づく画像の印刷を行う印刷制御部と、前記印刷制御部により画像が印刷された記録媒体を前記インクジェット記録ヘッドに対向する位置へ再度搬送するための循環経路とを備え、前記印刷制御部は、前記インクジェット記録ヘッドに対向する位置へ前記記録媒体を１回搬送することにより前記記録媒体の同一面に対する印刷を行う第１モードと、前記循環経路を介して前記インクジェット記録ヘッドに対向する位置へ前記記録媒体を複数回搬送することにより前記記録媒体の同一面に対する印刷を行う第２モードとを実行可能であることを特徴とする。
【手続補正４】
【補正対象書類名】明細書
【補正対象項目名】００１９
【補正方法】変更
【補正の内容】
【００１９】
また、請求項３に記載の発明は、請求項２に記載のインクジェット記録装置において、前記印刷制御部は、前記印刷データを文字部データと画像部データに分け、該分けられた画像部データを複数に分割し、当該複数の画像部データを前記第２モードにより前記記録媒体上の同一面に印刷することを特徴とする。
【手続補正５】
【補正対象書類名】明細書
【補正対象項目名】００２０
【補正方法】変更
【補正の内容】
【００２０】
また、請求項４に記載の発明は、請求項１ないし３のいずれかに記載のインクジェット記録装置において、前記印刷データのドット数をカウントするカウント手段をさらに備え、前記印刷制御部は、前記カウント手段によりカウントされたドット数が所定値以上である場合に前記印刷データを複数に分割することを特徴とする。
【手続補正６】
【補正対象書類名】明細書
【補正対象項目名】００２１
【補正方法】変更
【補正の内容】
【００２１】
また、請求項５に記載の発明は、請求項１ないし３のいずれかに記載のインクジェット記録装置において、前記インクジェット記録ヘッドの温度を検出するヘッド温度検出装置をさらに備え、前記印刷制御部は、前記ヘッド温度検出装置により検出された温度に応じて前記印刷データを複数に分割することを特徴とする。
【手続補正７】
【補正対象書類名】明細書
【補正対象項目名】００２２
【補正方法】変更
【補正の内容】
【００２２】
また、請求項６に記載の発明は、請求項１ないし５のいずれかに記載のインクジェット記録装置において、前記インクジェット記録ヘッドに対向する位置へ搬送される記録媒体の位置を検出する記録媒体位置検出部と、前記記録媒体位置検出部により検出された位置に基づいて前記記録媒体の位置ズレを補正する手段と、をさらに備えることを特徴とする。
【手続補正８】
【補正対象書類名】明細書
【補正対象項目名】００２３
【補正方法】変更
【補正の内容】
【００２３】
また、請求項７に記載の発明は、請求項６に記載のインクジェット記録装置において、記録媒体位置検出装置は、前記循環経路を介して再度搬送された記録媒体の位置を検出することを特徴とする。
また、請求項８に記載の発明は、請求項２に記載のインクジェット記録装置において、前記循環経路は、前記記録媒体を反転させるための反転機構を備え、前記印刷制御部は、前記インクジェット記録ヘッドに対向する位置へ前記記録媒体を２回搬送することにより前記記録媒体の両面に対する印刷を行う第３モードを実行可能であり、前記印刷制御部が前記第３モードを実行する場合、前記記録媒体の第１面への印刷終了後、その記録媒体を前記反転機構により反転させ、反転させた記録媒体を前記循環経路を介して前記インクジェット記録ヘッドに対向する位置へ再度搬送し、前記記録媒体の第２面への記録を行うことを特徴とする。
また、請求項９に記載の発明は、インクジェット記録装置であって、記録媒体の記録領域の全幅に亘って複数の記録素子が配列されたインクジェット記録ヘッドと、前記インクジェット記録ヘッドに対向する位置へ前記記録媒体を搬送するための搬送手段と、前記インクジェット記録ヘッドに対向する位置に搬送された記録媒体に対し印刷データに基づく画像の印刷を行う印刷制御部とを備え、前記インクジェット記録ヘッドに対向する位置へ前記記録媒体を２回搬送することにより前記記録媒体の同一面に対する印刷を行う場合、前記搬送手段は前記記録媒体の１回目の搬送と２回目の搬送の方向を逆転させることを特徴とする。
【手続補正９】
【補正対象書類名】明細書
【補正対象項目名】００２４
【補正方法】変更
【補正の内容】
【００２４】
また、請求項１０に記載の発明は、記録媒体の記録領域の全幅に亘って複数の記録素子が配列されたインクジェット記録ヘッドを用いて印刷を行うインクジェット記録方法であって、前記記録媒体の同一面に印刷すべき画像に対応した印刷データを、少なくとも第１印刷データおよび第２印刷データに分割する分割工程と、前記インクジェット記録ヘッドに対向する位置へ前記記録媒体を搬送する第１搬送工程と、前記第１搬送工程において搬送された記録媒体に対し、前記第１印刷データに基づき第１の画像を印刷する第１印刷工程と、前記第１印刷工程において第１の画像が印刷された記録媒体を前記インクジェット記録ヘッドに対向する位置へ循環経路を用いて再度搬送する第２搬送工程と、前記第２搬送工程において搬送された記録媒体に対し、前記第２印刷データに基づき第２の画像を印刷する第２印刷工程と、を備えることを特徴とする。
【手続補正１０】
【補正対象書類名】明細書
【補正対象項目名】００２５
【補正方法】変更
【補正の内容】
【００２５】
また、請求項１１に記載の発明は、記録媒体の記録領域の全幅に亘って複数の記録素子が配列されたインクジェット記録ヘッドと、前記インクジェット記録ヘッドに対向する位置へ前記記録媒体を搬送するための搬送部と、前記インクジェット記録ヘッドに対向する位置に搬送された記録媒体に対し印刷データに基づく画像の印刷を行う印刷制御部と、前記印刷制御部により画像が印刷された記録媒体を前記インクジェット記録ヘッドに対向する位置へ再度搬送するための循環経路とを有するインクジェット記録装置におけるインクジェット記録方法であって、前記インクジェット記録ヘッドに対向する位置へ前記記録媒体を１回搬送することにより前記記録媒体の同一面に対する印刷を行う第１モードと、前記循環経路を用いて前記インクジェット記録ヘッドに対向する位置へ前記記録媒体を複数回搬送することにより前記記録媒体の同一面に対する印刷を行う第２モードを含む複数のモードのうち、実行すべき１つのモードを選択する選択工程と、前記選択工程において選択したモードに従って、前記記録媒体に対する印刷を行う印刷工程と、を備えることを特徴とする。